(57)【要約】【課題】不特定の外部直流電源がある環境であれば、使用可能で使用機会を広げ得る顕微鏡を提供する。【解決手段】観察対象を照明するための光源を点灯させるためのＡＣ／ＤＣコンバータおよびＤＣ／ＤＣコンバータと、外部電源が交流／直流であるかを検出し検出結果に応じてＡＣ／ＤＣコンバータとＤＣ／ＤＣコンバータとを選択的に動作させる検出切換部とを有する点灯回路と、交流用電源ケーブル１５のコネクタ１５ａまたは＋用端子１６ａと−用端子１６ｂとを有する直流用電源コネクタ１６が選択的に着脱されて検出切換部に外部電源の電圧を取り込むためのインレット１４とを備える。【選択図】        図２
2009258419.tif 000002
【特許請求の範囲】
【請求項１】
観察対象を照明するための光源と、
該光源を点灯させるための交流／直流電圧変換器および直流／直流電圧変換器と、外部電源の電圧が交流であるか直流であるかを検出し検出結果に応じて前記交流／直流電圧変換器と前記直流／直流電圧変換器とを選択的に動作させる検出切換部とを有する点灯回路と、
交流用電源ケーブルのコネクタまたは＋用端子と−用端子とを有する直流用電源コネクタが選択的に着脱されて前記検出切換部に前記外部電源の電圧を取り込むための接続挿入部と、
を備えることを特徴とする顕微鏡。
【請求項２】
観察対象を照明するための光源と、
該光源を点灯させるための直流／直流電圧変換器を有する点灯回路と、
交流／直流電圧変換器を内蔵した交流用電源アダプタのコネクタまたは＋用端子と−用端子とを有する直流用電源コネクタが選択的に着脱されて前記直流／直流電圧変換器に外部電源の電圧を取り込むための接続挿入部と、
を備えることを特徴とする顕微鏡。
【請求項３】
観察対象を照明するための光源と、
該光源を点灯させるための直流／直流電圧変換器を有する点灯回路と、
前記直流／直流電圧変換器に接続された直流用電源ケーブルと、
交流／直流電圧変換器を内蔵した交流用電源アダプタのコネクタが選択的に着脱されて前記直流用電源ケーブル側に対して優先的に前記直流／直流電圧変換器に外部電源の電圧を取り込むための接続挿入部と、
を備えることを特徴とする顕微鏡。
【請求項４】
前記接続挿入部に着脱自在な前記直流用電源コネクタを付属品として備えることを特徴とする請求項１または２に記載の顕微鏡。
【請求項５】
前記直流用電源コネクタは、直流用電源ケーブルを有することを特徴とする請求項１，２または４に記載の顕微鏡。
【請求項６】
前記直流用電源ケーブルは、先端部に直流外部電源に対する接続具を有することを特徴とする請求項３または５に記載の顕微鏡。
【発明の詳細な説明】
【技術分野】
【０００１】
本発明は、観察対象を照明するための光源を備える顕微鏡に関するものである。
【背景技術】
【０００２】
顕微鏡による病原菌等の観察に際して、太陽光等の自然光、室内光等による照明では明るさに欠けるため、観察対象を照明するためのＬＥＤやハロゲンランプなどの光源を備える顕微鏡がある（例えば、特許文献１参照）。このような顕微鏡は、一般に、コンセントから交流用電源ケーブルで引き入れた商用交流電源によって顕微鏡内蔵のＡＣ／ＤＣコンバータを含む点灯回路を動作させて光源を点灯させるようにしている。しかしながら、コンセントがない場所や停電時には、光源を点灯させることができず、顕微鏡が使用できなくなってしまう。
【０００３】
そこで、顕微鏡本体内にバッテリを内蔵させたり、乾電池を装着したりできるようにし、コンセントがない場所や停電時であっても、場所を選ばず顕微鏡を使用できるようにしたものがある。
【０００４】
【特許文献１】特開２００３−２１５４６４号公報
【発明の開示】
【発明が解決しようとする課題】
【０００５】
しかしながら、バッテリ内蔵タイプの顕微鏡では、バッテリが消耗すれば、結局、充電のために商用交流電源が供給されるコンセントが必要となってしまう。よって、このようなコンセントのない場所で顕微鏡を使用していれば、充電ができず、消耗後の使用ができなくなってしまう。乾電池装着タイプの顕微鏡では、乾電池が消耗した場合、新たな電池に交換すればよいが、新たな乾電池がない状況下では対応できず、消耗後の使用ができなくなってしまう。また、バッテリの分だけ重量が重くなり、顕微鏡を持ち運ぶ際に不便となる。
【０００６】
特に、病原菌等の観察は、熱帯地方の発展途上国等において病原菌が発生する屋外の現地で行うことが要望されるケースも少なくないが、このような現地では商用の電源供給事情が悪いことが多い。よって、上記のように顕微鏡が使用不可となってしまう可能性が高く、顕微鏡の使用機会が減り、所望の時に観察できなくなってしまう問題がある。
【０００７】
本発明は、上記に鑑みてなされたものであって、不特定の外部直流電源がある環境であれば、使用可能で使用機会を広げ得る顕微鏡を提供することを目的とする。
【課題を解決するための手段】
【０００８】
上述した課題を解決し、目的を達成するために、本発明にかかる顕微鏡は、観察対象を照明するための光源と、該光源を点灯させるための交流／直流電圧変換器および直流／直流電圧変換器と、外部電源の電圧が交流であるか直流であるかを検出し検出結果に応じて前記交流／直流電圧変換器と前記直流／直流電圧変換器とを選択的に動作させる検出切換部とを有する点灯回路と、交流用電源ケーブルのコネクタまたは＋用端子と−用端子とを有する直流用電源コネクタが選択的に着脱されて前記検出切換部に前記外部電源の電圧を取り込むための接続挿入部と、を備えることを特徴とする。
【０００９】
また、本発明にかかる顕微鏡は、観察対象を照明するための光源と、該光源を点灯させるための直流／直流電圧変換器を有する点灯回路と、交流／直流電圧変換器を内蔵した交流用電源アダプタのコネクタまたは＋用端子と−用端子とを有する直流用電源コネクタが選択的に着脱されて前記直流／直流電圧変換器に外部電源の電圧を取り込むための接続挿入部と、を備えることを特徴とする。
【００１０】
また、本発明にかかる顕微鏡は、観察対象を照明するための光源と、該光源を点灯させるための直流／直流電圧変換器を有する点灯回路と、前記直流／直流電圧変換器に接続された直流用電源ケーブルと、交流／直流電圧変換器を内蔵した交流用電源アダプタのコネクタが選択的に着脱されて前記直流用電源ケーブル側に対して優先的に前記直流／直流電圧変換器に外部電源の電圧を取り込むための接続挿入部と、を備えることを特徴とする。
【００１１】
また、本発明にかかる顕微鏡は、上記発明において、前記接続挿入部に着脱自在な前記直流用電源コネクタを付属品として備えることを特徴とする。
【００１２】
また、本発明にかかる顕微鏡は、上記発明において、前記直流用電源コネクタは、直流用電源ケーブルを有することを特徴とする。
【００１３】
また、本発明にかかる顕微鏡は、上記発明において、前記直流用電源ケーブルは、先端部に直流外部電源に対する接続具を有することを特徴とする。
【発明の効果】
【００１４】
本発明にかかる顕微鏡は、外部電源として一般の交流電源の他に不特定の外部直流電源であっても点灯回路によって光源の点灯が可能であり、商用の電源供給事情の悪い環境であっても車載バッテリ等の不特定の外部直流電源がある環境であれば使用可能となり、顕微鏡の使用機会を広げることができるという効果を奏する。
【発明を実施するための最良の形態】
【００１５】
以下、図面を参照して本発明にかかる顕微鏡を実施するための最良の形態について説明する。本発明は、以下に説明する各実施の形態や変形例に限らず、本発明の趣旨を逸脱しない範囲であれば、種々の変形が可能である。
【００１６】
（実施の形態１）
図１は、本発明の実施の形態１にかかる顕微鏡の全体構成を示す外観斜視図であり、図２は、その一部の背面側斜視図であり、図３は、ベース部分の概略水平断面図であり、図４は、ベース部分の背面図であり、図５は、ベース部分に組み込まれた回路構成を示す概略回路図である。
【００１７】
本実施の形態の顕微鏡１は、本体２の上部に接眼レンズ３等を有する鏡筒４を備えるとともに、上下左右前後に移動自在なステージ５上にセットされた観察対象６に接近対向する対物レンズ７を備える。また、顕微鏡１は、ステージ５の下方に位置して本体２を支持するベース８を備える。このベース８は、図３中に示すように、対物レンズ７の光軸上となる位置に位置させてステージ５上の観察対象６を照明する光源９を含む照明光学系を内蔵している。この光源９としては、例えばＬＥＤが用いられているが、ハロゲンランプ等であってもよい。
【００１８】
また、本実施の形態の顕微鏡１は、光源９を点灯させるための点灯回路１０をベース８内に内蔵している。この点灯回路１０は、交直両用となるように、ＡＣ／ＤＣコンバータ（交流／直流電圧変換器）１１とＤＣ／ＤＣコンバータ（直流／直流電圧変換器）１２と検出切換部１３とからなる。光源９は、ＡＣ／ＤＣコンバータ１１とＤＣ／ＤＣコンバータ１２とのいずれかによって点灯される。ＡＣ／ＤＣコンバータ１１は、光源９を点灯させるために、入力される交流電圧を或る所定の直流電圧に変換する電圧変換器である。一例として、本実施の形態のＡＣ／ＤＣコンバータ１１は、入力電圧検出機能を有し、１００〜２４０Ｖの交流電源まで対応可能であり、全世界で使用可能とされているが、市場性やコストに合わせて、特定の交流電圧用に限定されていてもよい。また、ＤＣ／ＤＣコンバータ１２は、光源９を点灯させるために、入力される直流電圧を或る所定の直流電圧に昇圧又は降圧変換する電圧変換器である。一例として、本実施の形態のＤＣ／ＤＣコンバータ１２は、入力電圧検出機能を有し、１．５〜２４Ｖの直流電源に対応可能とされている。これにより、車用の１２Ｖバッテリの他、オートバイ用の６Ｖバッテリ、太陽電池、手回し式の手動発電機、自転車の発電機等の各種不特定の外部直流電源の電圧に対応可能である。もっとも、市場性やコストに合わせて、ＤＣ／ＤＣコンバータ１２は特定の直流電圧用に対応範囲が設定されていてもよい。
【００１９】
検出切換部１３は、後述するインレットから入力される外部電源の電圧が交流であるか直流であるかを検出する検出機能と、その検出結果に応じてＡＣ／ＤＣコンバータ１１とＤＣ／ＤＣコンバータ１２とを選択的に動作させる切換機能とを有する回路である。検出切換部１３に入力される外部電源の電圧が交流であるか直流であるかの検出は、交流の場合には所定周期で必ずゼロクロス点をもつ等の特性を利用した既存の技術を利用して行われる。よって、検出切換部１３は、入力される外部電源の電圧が交流であれば、この外部電源電圧をＡＣ／ＤＣコンバータ１１側に入力させるよう入力経路を切換えることで、ＡＣ／ＤＣコンバータ１１を動作させる。一方、検出切換部１３は、入力される外部電源の電圧が直流であれば、この外部電源電圧をＤＣ／ＤＣコンバータ１２側に入力させるよう入力経路を切換えることで、ＤＣ／ＤＣコンバータ１２を動作させる。
【００２０】
また、本実施の形態の顕微鏡１は、点灯回路１０に対して外部電源の電圧を取り込むためのインレット（接続挿入部）１４をベース８の背面部に備えている。このインレット１４は、検出切換部１３の入力側に接続されてベース８の外部に露出し、交流用電源ケーブル１５のコネクタ１５ａ、または、直流用電源コネクタ１６が差し込み方式により選択的に着脱されるものである。交流用電源ケーブル１５は、市販のものでよく、他端には商用交流用電源のコンセントに接続されるプラグ１５ｂを有する。また、直流用電源コネクタ１６は、コネクタ形状がコネクタ１５ａと同一形状となるように形成された付属品であり、＋用端子１６ａと−用端子１６ｂとを有する。この直流用電源コネクタ１６は、＋用端子１６ａ、−用端子１６ｂを電線ケーブル等によって外部直流電源となるバッテリ側の＋側端子、−側端子に接続することにより、直流電圧の供給を可能とする。
【００２１】
なお、本実施の形態の検出切換部１３は、公知の保護回路構成が含まれ、万一、直流用電源コネクタ１６に接続した電線ケーブルを商用の交流電源のコンセントに差し込んでしまったり、或いは、直流の＋側と−側との接続を間違えるようなことがあっても、点灯回路１０が壊れないように構成されている。
【００２２】
このような構成において、商用の電源供給事情が安定している環境下で顕微鏡１を使用する場合であれば、交流用電源ケーブル１５のコネクタ１５ａをインレット１４に挿着するとともに、プラグ１５ｂを商用の交流用電源のコンセントに接続する。これにより、外部交流電源による交流電圧は、検出切換部１３に入力される。この検出切換部１３は、交流電圧であることを検出すると、ＡＣ／ＤＣコンバータ１１側を動作させるよう電圧供給経路を切換える。これにより、ＡＣ／ＤＣコンバータ１１は、入力された交流電圧を或る所定の直流電圧に変換して光源９側に出力することで、光源９を点灯させる。これにより、光源９を用いた顕微鏡１の使用が可能となる。
【００２３】
一方、商用の交流用電源のコンセントがないが、車用のバッテリのような外部直流電源がある場所で顕微鏡１を使用する場合であれば、直流用電源コネクタ１６をインレット１４に挿着するとともに、＋用端子１６ａ、−用端子１６ｂを電線ケーブル等によって外部直流電源となるバッテリ側の＋側端子、−側端子に接続する。これにより、バッテリ（外部直流電源）による直流電圧は、検出切換部１３に入力される。この検出切換部１３は、直流電圧であることを検出すると、ＤＣ／ＤＣコンバータ１２側を動作させるよう電圧供給経路を切換える。これにより、ＤＣ／ＤＣコンバータ１２は、入力された直流電圧を或る所定の直流電圧に昇圧又は降圧変換して光源９側に出力することで、光源９を点灯させる。これにより、光源９を用いた顕微鏡１の使用が可能となる。
【００２４】
これにより、一般のコンセントを利用する外部交流電源と、車のバッテリなどの外部直流電源とのいずれであっても、光源９の点灯が可能となり、顕微鏡１の使用が可能となる。よって、例えば一般のコンセントを利用する外部交流電源によって顕微鏡１を使用中に停電になった場合や、元々コンセントのない環境で使用したい場合には、車のバッテリなどの外部直流電源があれば、顕微鏡１の使用が可能となる。この結果、従来では使用できなかった状況や環境であっても顕微鏡１の使用が可能となり、顕微鏡１の使用機会を広げることができる。
【００２５】
特に、顕微鏡による病原菌等の観察は、熱帯地方の発展途上国等において病原菌が発生する屋外の現地で行うことが要望されるケースも少なくないが、このような現地では商用の電源供給事情が悪いことが多い。反面、オートバイ（スクータ、小型バイク）等が交通手段として普及しているケースが多く、オートバイ用のバッテリの入手は容易な環境にある。よって、本実施の形態の顕微鏡１によれば、このような環境下であっても、オートバイ用のバッテリを入手できれば、顕微鏡１の使用が可能となる。もちろん、車用やオートバイ用のバッテリに限らず、太陽電池、手回し式の手動発電機、自転車の発電機等の各種不特定の外部直流電源がある環境で幅広く利用可能となる。
【００２６】
（変形例１）
図６は、変形例１の直流用電源コネクタの変形例を示す斜視図である。変形例１の直流用電源コネクタ２０は、直流用電源ケーブル２１を有し、直流用電源ケーブル２１の先端部には＋用クリップ２２ａ，−用クリップ２２ｂを外部直流電源に対する接続具として備える。これら＋用クリップ２２ａ，−用クリップ２２ｂは、挟み方向に付勢するばねを有し、洗濯バサミのようにバッテリの＋端子、−端子を挟むように取り付けることで電気的接続を維持するものである。
【００２７】
前述の直流用電源コネクタ１６に代えてこの直流用電源コネクタ２０を顕微鏡１の付属品として備えることで、使用者は、電線ケーブルを用意する必要がなく、不特定の外部直流電源となり得るバッテリさえ確保すれば、顕微鏡１の使用が可能となり、電線ケーブルを探す手間を省くことができる。また、純正品として直流用電源コネクタ２０を備えることで、性能が保障されていない電線ケーブルが使用される心配がなく、安全性を確保することもできる。
【００２８】
なお、直流用電源ケーブル２１の先端部は、バッテリの＋端子、−端子に対する接続具として機能すればよく、＋用クリップ２２ａ，−用クリップ２２ｂに限らず、例えば、バナナプラグのような差し込みタイプであってもよい。さらには、特別な接続具を設けず、直流用電源ケーブル２１の先端部が電線のままとなっていてもよい。
【００２９】
（実施の形態２）
図７は、本発明の実施の形態２の顕微鏡のベース部分の概略水平断面図であり、図８は、ベース部分の背面図であり、図９は、交流用電源アダプタを示す外観斜視図であり、図１０は、直流用電源コネクタを示す斜視図であり、図１１は、ベース部分に組み込まれた回路構成を示す概略回路図である。
【００３０】
本実施の形態２の顕微鏡における光源９用の点灯回路３０は、ＡＣ／ＤＣコンバータ１１および検出切換部１３が省略され、ＤＣ／ＤＣコンバータ１２のみを備える構成とされている。このＤＣ／ＤＣコンバータ１２の入力側には、丸型コネクタ雌構造からなるインレット３１が接続挿入部として設けられている。このインレット３１は、交流用電源アダプタ３２または直流用電源コネクタ３３が選択的に着脱されるものである。
【００３１】
ここで、交流用電源アダプタ３２は、図９に示すように、商用の外部交流電源のコンセントに接続されるプラグ３２ｂを有するとともに、ＡＣ／ＤＣコンバータ（交流／直流変換器）３４を内蔵して入力される交流電圧を或る直流電圧に変換する機能を有する。この交流用電源アダプタ３２は、ＡＣ／ＤＣコンバータ３４に接続された交流用電源ケーブル３５の先端部にインレット３１に挿脱される丸型コネクタ雄構造のコネクタ３２ａを有する。
【００３２】
直流用電源コネクタ３３は、図１０に示すように、コネクタ３２ａと同一の丸型コネクタ雄構造からなり、図６に示した場合と同様に、直流用電源ケーブル２１を有し、直流用電源ケーブル２１の先端部には＋用クリップ２２ａ，−用クリップ２２ｂを外部直流電源に対する接続具として備える。
【００３３】
このような構成において、商用の電源供給事情が安定している環境下で顕微鏡１を使用する場合であれば、交流用電源アダプタ３２のコネクタ３２ａをインレット３１に挿着するとともに、プラグ３２ｂを商用の交流用電源のコンセントに接続する。これにより、外部交流電源による交流電圧は、交流用電源アダプタ３２内のＡＣ／ＤＣコンバータ３４に入力され、入力された交流電圧は或る所定の直流電圧に変換される。変換されたこの直流電圧は、インレット３１を介して点灯回路３０のＤＣ／ＤＣコンバータ１２に入力される。よって、ＤＣ／ＤＣコンバータ１２は、入力された直流電圧を或る所定の直流電圧に昇圧又は降圧変換して光源９側に出力することで、光源９を点灯させる。このようにして、光源９を用いた顕微鏡１の使用が可能となる。
【００３４】
一方、商用の交流用電源のコンセントがないが、車用のバッテリのような外部直流電源がある場所で顕微鏡１を使用する場合であれば、直流用電源コネクタ３３をインレット３１に挿着するとともに、＋用クリップ２２ａ，−用クリップ２２ｂを外部直流電源となるバッテリ側の＋側端子、−側端子に接続する。これにより、バッテリ（外部直流電源）による直流電圧は、ＤＣ／ＤＣコンバータ１２に入力される。よって、ＤＣ／ＤＣコンバータ１２は、入力された直流電圧を或る所定の直流電圧に昇圧又は降圧変換して光源９側に出力することで、光源９を点灯させる。このようにして、光源９を用いた顕微鏡１の使用が可能となる。
【００３５】
これにより、本実施の形態２による場合も実施の形態１の場合と同様な効果が得られる。特に、本実施の形態２によれば、交流用電源側を利用する上でＡＣ／ＤＣコンバータ３４内蔵の交流用電源アダプタ３２を用いるようにしたので、点灯回路３０中からＡＣ／ＤＣコンバータと検出切換部とを省略することができ、顕微鏡１のベース８内の構造を簡単化、軽量化できるとともに、低コスト化を図ることができる。また、外部交流電源と外部直流電源（バッテリ）とを頻繁に使い分けず、主に外部直流電源（バッテリ）を使うユーザの場合であれば、ＡＣ／ＤＣコンバータ３４内蔵の交流用電源アダプタ３２の使用頻度が少ないため、この交流用電源アダプタ３２を別売りとすることで、顕微鏡価格を安価にしやすくなる。
【００３６】
（実施の形態３）
図１２は、本発明の実施の形態３の顕微鏡のベース部分の概略水平断面図であり、図１３は、ベース部分に組み込まれた回路構成を示す概略回路図である。本実施の形態３は、基本的に、実施の形態２の構成に準ずるものであるが、インレット３１は交流用電源アダプタ３２のコネクタ３２ａの挿着専用とし、直流用電源コネクタ３３をなくして直流用電源ケーブル２１をＤＣ／ＤＣコンバータ１２に直接接続したものである。
【００３７】
このような構成において、商用の電源供給事情が安定している環境下で顕微鏡１を使用する場合であれば、実施の形態２の場合と同様に、交流用電源アダプタ３２のコネクタ３２ａをインレット３１に挿着するとともに、プラグ３２ｂを商用の交流用電源のコンセントに接続する。これにより、外部交流電源による交流電圧は、交流用電源アダプタ３２内のＡＣ／ＤＣコンバータ３４に入力され、入力された交流電圧は或る所定の直流電圧に変換される。変換されたこの直流電圧は、インレット３１を介して点灯回路３０のＤＣ／ＤＣコンバータ１２に入力される。これにより、ＤＣ／ＤＣコンバータ１２は、入力された直流電圧を或る所定の直流電圧に昇圧又は降圧変換して光源９側に出力することで、光源９を点灯させる。これにより、光源９を用いた顕微鏡１の使用が可能となる。
【００３８】
一方、商用の交流用電源のコンセントがないが、車用のバッテリのような外部直流電源がある場所で顕微鏡１を使用する場合であれば、直流用電源ケーブル２１の＋用クリップ２２ａ，−用クリップ２２ｂを外部直流電源となるバッテリ側の＋側端子、−側端子に接続する。これにより、バッテリ（外部直流電源）による直流電圧は、ＤＣ／ＤＣコンバータ１２に入力される。よって、ＤＣ／ＤＣコンバータ１２は、入力された直流電圧を或る所定の直流電圧に昇圧又は降圧変換して光源９側に出力することで、光源９を点灯させる。これにより、光源９を用いた顕微鏡１の使用が可能となる。
【００３９】
これにより、本実施の形態３による場合も実施の形態１の場合と同様な効果が得られる。特に、本実施の形態３によれば、使用者は外部交流電源を利用する場合と外部直流電源を利用する場合とでインレット３１に対してコネクタを付け替える必要がなく、電源接続の手間を省くことができる。また、直流用電源ケーブル２１を紛失するおそれもない。
【００４０】
なお、本実施の形態３においては、直流用電源ケーブル２１は、通常は顕微鏡１のベース８内等に収納自在とし、必要時に引き出して使用できるようにしてもよい。また、点灯回路３０は、万一、ＤＣ／ＤＣコンバータ１２に対して交流用電源アダプタ３２側と直流用電源ケーブル２１側とから同時に電源が供給される場合には、ダイオード等を用いた既存の優先回路により、交流用電源アダプタ３２側からの電源供給が優先されるように構成されている。
【図面の簡単な説明】
【００４１】
【図１】本発明の実施の形態１にかかる顕微鏡の全体構成を示す外観斜視図である。
【図２】顕微鏡の一部の背面側斜視図である。
【図３】ベース部分の概略水平断面図である。
【図４】ベース部分の背面図である。
【図５】ベース部分に組み込まれた回路構成を示す概略回路図である。
【図６】変形例１の直流用電源コネクタの変形例を示す斜視図である。
【図７】本発明の実施の形態２の顕微鏡のベース部分の概略水平断面図である。
【図８】ベース部分の背面図である。
【図９】交流用電源アダプタを示す外観斜視図である。
【図１０】直流用電源コネクタを示す斜視図である。
【図１１】ベース部分に組み込まれた回路構成を示す概略回路図である。
【図１２】本発明の実施の形態３の顕微鏡のベース部分の概略水平断面図である。
【図１３】ベース部分に組み込まれた回路構成を示す概略回路図である。
【符号の説明】
【００４２】
１  顕微鏡
９  光源
１０  点灯回路
１１  ＡＣ／ＤＣコンバータ
１２  ＤＣ／ＤＣコンバータ
１３  検出切換部
１４  インレット
１５  交流用電源ケーブル
１５ａ  コネクタ
１６  直流用電源コネクタ
１６ａ  ＋用端子
１６ｂ  −用端子
２０  直流用電源コネクタ
２１  直流用電源ケーブル
２２ａ  ＋用クリップ
２２ｂ  −用クリップ
３０  点灯回路
３１  インレット
３２  交流用電源アダプタ
３３  直流用電源コネクタ
３４  ＡＣ／ＤＣコンバータ
【図１】
2009258419.tif 000003
【図２】
2009258419.tif 000004
【図３】
2009258419.tif 000005
【図４】
2009258419.tif 000006
【図５】
2009258419.tif 000007
【図６】
2009258419.tif 000008
【図７】
2009258419.tif 000009
【図８】
2009258419.tif 000010
【図９】
2009258419.tif 000011
【図１０】
2009258419.tif 000012
【図１１】
2009258419.tif 000013
【図１２】
2009258419.tif 000014
【図１３】
2009258419.tif 000015